(57)【要約】【課題】アッパーキャビネットの背面側に設けた上下昇降式の昇降棚の前面側に、係脱自在に簡単に装着でき、しかも収納ボックスを上下逆にして装着をすることで、その設置高さを簡単に変えられることができる収納ボックスを設け、昇降棚の前面側のスペースを有効利用可能とするきわめて使い勝手の良いキャビネットを実現する。【解決手段】壁面の上方位置に設置され、天板６、側板７、背板８、底板９及び扉１０を有する箱体の内部において、背板８の前面側に上下に昇降する昇降棚１６を取り付け、昇降棚１６の前側に、収納ボックス３５を係脱自在に設置可能なバー３４を備え、収納ボックス３５はバー３４に上下反転して係脱自在に装着できる。【選択図】図３
2007029308.tif 000002
【特許請求の範囲】
【請求項１】
壁面の上方位置に設置され、天板、側板、背板、底板及び扉を有する箱体の内部に収納部を備えたキャビネットであって、
背板の前面側に上下に昇降する昇降棚を取り付け、昇降棚の前側に、収納ボックスを係脱自在に設置可能なバーを備えていることを特徴とするキャビネット。
【請求項２】
収納ボックスが上下反転して係脱自在であることを特徴とする請求項１記載のキャビネット。
【請求項３】
壁面の上方位置に設置され、天板、側板、背板、底板及び扉を有する箱体の内部に収納部を備えたキャビネットであって、
背板の前面側に上下に昇降する昇降棚を取り付け、昇降棚の前側に、水切り板を係脱自在に設置可能な板受部を備えていることを特徴とするキャビネット。
【請求項４】
前記板受部に排水用の孔を形成し、前記昇降棚が前記排水用の孔から排出された排水を受けることが可能な昇降位置に配置可能であることを特徴とする請求項３記載のキャビネット。
【発明の詳細な説明】
【技術分野】
【０００１】
本発明は、キャビネットに関し、特に、キッチンのシンク上方に収納空間を提供し、昇降棚を有するアッパーキャビネットに関する。
【背景技術】
【０００２】
キッチンのアッパーキャビネットにはいろいろな構造のものがある。例えば、キッチンのアッパーキャビネットの後方に収納スペースを設け、この収納スペースに下方へ移動自在の移動棚を取り付けた構成は公知である（特許文献１参照）。また、キッチンのアッパーキャビネットの背板を壁から一定間隔を形成して、その前面部を小物置きとする構成は公知である（特許文献２参照）。
【０００３】
また、従来、キッチンのキャビネット内又はその近辺に支持具を設け、棚等を着脱可能に取り付ける構成は知られている、例えば、吊戸棚の下部にガイドレールを設け、ガイドレールに水切り摺動棚を係合、離脱自在に設けた構成は公知であり（特許文献３参照）、さらに、キッチンのアッパーキャビネットとカウンターの間に、バーにより可動ラックを設けた構成は公知（特許文献４参照）である。
【０００４】
【特許文献１】特開平１−２９３８０６号公報
【特許文献２】実開平２−１３２４４７号公報
【特許文献３】実公平３−０５２４３２号公報
【特許文献４】特開２００１−２５８６６２号公報
【発明の開示】
【発明が解決しようとする課題】
【０００５】
上記のとおり、キッチンのアッパーキャビネットには、いろいろな構造のものがあるが、アッパーキャビネット内において、背面側に上下昇降式に昇降棚を設けたものでは、昇降棚が最上位に位置して、その昇降棚上に収納された物品がアッパーキャビネット内に収納された状態において、その前方のスペースが利用されず、デッドスペースとなってしまう。
【０００６】
本発明は、上記従来の問題を解決することを目的とし、アッパーキャビネットの背面側に設けた上下昇降式の昇降棚の前面側のスペースを有効利用することを課題とするものであり、この昇降棚の前面側のスペースに調味料等の小物、或いは洗浄後の食器等を、容易に置くことができる使い勝手の良い、しかも洗浄後の食器等を置いても、食器に付着していた水がシンクに直接、流下し又は滴下することを防止でき衛生的な観点からも優れている収納部を設けたキャビネットを実現するものである。
【課題を解決するための手段】
【０００７】
本発明は上記課題を解決するために、壁面の上方位置に設置され、天板、側板、背板、底板及び扉を有する箱体の内部に収納部を備えたキャビネットであって、背板の前面側に上下に昇降する昇降棚を取り付け、昇降棚の前側に、収納ボックスを係脱自在に設置可能なバーを備えていることを特徴とするキャビネットを提供する。
【０００８】
本発明のキャビネットでは、収納ボックスが上下反転して係脱自在である構成としてもよい。
【０００９】
本発明は上記課題を解決するために、壁面の上方位置に設置され、天板、側板、背板、底板及び扉を有する箱体の内部に収納部を備えたキャビネットであって、背板の前面側に上下に昇降する昇降棚を取り付け、昇降棚の前側に、水切り板を係脱自在に設置可能な板受部を備えていることを特徴とするキャビネットを提供する。
【００１０】
本発明のキャビネットでは、前記板受部に排水用の孔を形成し、前記昇降棚が前記排水用の孔から排出された排水を受けることが可能な昇降位置に配置可能である構成としてもよい。
【発明の効果】
【００１１】
本発明に係るキャビネットによれば、次のような顕著な効果が生じる。
（１）アッパーキャビネットの背面側に設けた上下昇降式の昇降棚の前面側のスペースを有効利用して収納部を広げることができ、特に、アッパーキャビネットの最下部、或いはさらにその下方の位置等、さらに加えて昇降棚の下方の位置等、使用者からそれほど高くない位置に収納部となる収納ボックスを配置できるから、収納ボックスに調味料、その他の小物等を容易に置いたり取り出したりすることができ、水切り棚にも容易に洗浄後の食器等を置いたり取り出したりすることができる、きわめて使い勝手の良いキャビネットとなる。
【００１２】
（２）昇降棚の前面側に設ける収納ボックスは、係脱自在に簡単に装着でき、しかも収納ボックスの装着を上下逆にすることで、その設置高さを簡単に変えられることができるので、使用者の多様なニーズに対応できる。さらに、昇降棚の下部にも設置可能である。
【００１３】
（３）アッパーキャビネットの背面側に設けた上下昇降式の昇降棚の前面側のスペースに、水切り棚を設置可能な構成でもあるから、上記収納箱と同様に、使用者からそれほど高くない位置の水切り棚にも容易に洗浄後の食器等を置いたり取り出したりすることができ、きわめて使い勝手の良いキャビネットとなる。
【００１４】
（４）昇降棚の前面側に水切り棚を設け、この水切り棚の下方に収納時等の際の昇降棚が位置するような構造としたので、水切り棚から流下又は滴下する排水を昇降棚で受水することができるので、水切り棚からシンクキャビネットへの排水の流下を防止できる。
【発明を実施するための最良の形態】
【００１５】
本発明に係るキャビネットを実施するための最良の形態を実施例に基づき図面を参照して、以下説明する。
【実施例１】
【００１６】
図１〜４は、本発明に係るキャビネットの実施例１を説明する図である。図１（ａ）は、本発明の実施例１であるキャビネット１をキッチンに設置した状態の全体構成を示し、図１（ｂ）は、収納ボックスの構成を説明する図である。さらに、図２（ａ）、（ｂ）は、実施例１のキャビネットの要部を説明する図である。図３及び図４は、使用状態を示す図である。
【００１７】
これら図１及び図２において、この実施例１のキャビネット１は、シンク２及びコンロ３等を有するシンクキャビネット４（カウンター）の上方位置に設置されるアッパーキャビネットである。５はキャビネット１に隣接して配置されたレンジフードである。
【００１８】
この実施例１のキャビネット１は、昇降棚を有する昇降棚付きキャビネットであり、図１（ａ）、図２（ａ）〜（ｃ）に示すように、天板６、左右の側板７、背板８、底板９、扉１０からなる箱体から形成され、内部に収納部１１（収納部本体）を有している。底板９は、左右の側板７の間に側板７の下端より上方に水平に配置されている。
【００１９】
収納部１１は、天板６、左右の側板７、背壁１２、底板９、及び扉１０で囲まれた空間である。この実施例のキャビネット１の収納部１１には、棚板１３が取り付けられており、扉１０で開閉可能である。
【００２０】
図２（ｂ）、（ｃ）に示すように、キャビネット１の収納部１１の背面側であって背板８の前側のスペースには、昇降棚装置１４が配設されている。昇降棚装置１４は、昇降フレーム１５と、この昇降フレーム１５の下端の前面側に水平に取り付けられた昇降棚１６とを備えており、昇降フレーム１５及び昇降棚１６は、昇降機構１７によって上下動できる構成となっている。
【００２１】
昇降棚１６は、その横幅はキャビネット１の間口より小さく左右の側板７内に収まる寸法であり、その前後幅はキャビネット１の奥行のほぼ半分程度の寸法に形成される。昇降機構は、昇降棚１６が上下方向に移動できれば、手動式でも電動式でもよいが、一例として、使用者が手動で昇降棚１６を上下動できる昇降機構１７を図７（ａ）〜（ｄ）で説明する。
【００２２】
図７（ａ）、（ｃ）は昇降機構１７を正面側から見た図であり、これらの図のＡ−Ａ断面を図７（ｂ）、（ｄ）に示す。図７（ａ）、（ｂ）は、図２（ｂ）に示すように、昇降棚１６が上昇しキャビネット１内に収納されている位置にあり、図７（ｃ）、（ｄ）は、図２（ｃ）に示すように、昇降棚１６が下降しキャビネット１の下方の位置にある状態をそれぞれ示している。
【００２３】
この昇降機構１７は、背板８の前面に上下方向に延びるレール部材１８が固定されており、このレール部材１８に昇降フレーム１５が上下方向に摺動可能に設けられている。具体的には、レール部材１８としてリニア軸受を利用し、このリニア軸受に摺動可能な摺動部材に昇降フレーム１５を取り付けた構造とすれば、昇降フレーム１５がスムースに上下動可能となる。
【００２４】
レール部材１８の上端には渦巻きバネ１９がバネケース２０を介して背板８に固定されている。渦巻きバネ１９の自由端は昇降フレーム１５に固定されている。これにより、渦巻きバネ１９の弾力が昇降フレーム１５に上方に作用する。そして、レール部材１８の左右の両側面には、鋸歯状のストッパラック２１が設けられている。
【００２５】
昇降フレーム１５には、Ｕ型の操作杆２２の左右の軸部２３が昇降フレーム１５の左右の支持部２４により上下動可能に装着されている。操作杆２２の左右の軸部２３の上端は、それぞれＺ型のストッパラッチ２５の下部外端に枢着されている。ストッパラッチ２５は、その下部内端で昇降フレーム１５の一部に枢支されており、上部内端はストッパラック２１に噛み合う係合部となっている。
【００２６】
昇降フレーム１５の支持部２４と、操作杆２２の軸部２３に固定されたバネ受け２６との間に圧縮コイルバネ２７が設けられており、昇降フレーム１５に対して操作杆２２を上方に付勢している。これにより、ストッパラッチ２５を、枢支軸２８を中心にストッパラック２１に噛み合う回転方向に付勢している。
【００２７】
昇降フレーム１５のハンドル２９に手をかけて、操作杆２２の把持部３０をコイルバネ２７の弾力に抗して下方に引くと、ストッパラッチ２５の係合が解除可能となる。この状態で、図７（ｃ）、（ｄ）に示すように、渦巻きバネ１９の弾力に抗して、ハンドル２９を下方に引き下げると、昇降フレーム１５及び昇降棚１６を下方に摺動できる。
【００２８】
昇降フレーム１５及び昇降棚１６を下降させて所望の位置で、操作杆２２の把持部３０を元に戻すと、コイルバネ２７の弾力で、操作杆２２は上方に移動してストッパラッチ２５がストッパラック２１に係合し、昇降フレーム１５及び昇降棚１６を下降位置に停止することができる。
【００２９】
昇降フレーム１５及び昇降棚１６を上昇させる場合は、上記と同様の操作によりストッパラッチ２５の係合を解除すれば、渦巻きバネ１９の弾力により昇降フレーム１５及び昇降棚１６を上昇させることができる。
【００３０】
図２、３に示すように、左右の側板７の内面に２本の支持杆３１が垂直に固定されており、この支持杆３１の前面に仕切壁３２が垂直に取り付けられている。この仕切壁３２によって、左右の側板７の間であって底板９の下方のスペースが、前方における小物置き用のスペースと、後方における昇降棚１６がその最上位において収納される昇降棚１６の収納用のスペースとに仕切られている。
【００３１】
小物置き用のスペースには、小物置き部３３が設置される。小物置き部３３の構成としては、いろいろな構造が考えられるが、この実施例１では、収納ボックス設置用のバー３４が取り付けられており、このバー３４に収納ボックス３５が、左右の側板７間において、係脱可能に設置される構成としている。
【００３２】
収納ボックス３５を係脱可能に設置するためのバー３４は、互いに平行な２本のバー３４から成り、２本のバー３４は、図２（ａ）〜（ｃ）に示すように、左右の側板７の内面の下端且つ仕切壁３２の前側の部分の間に、水平に架設されている。
【００３３】
収納ボックス３５は、図１（ｂ）（斜視図）及び図１（ｃ）（図１（ｂ）中の矢視Ａ方向側面図）に示すが、断面が「己字型」な構造であり、バー３４に係合して係脱可能に取り付ける係合部３６と、小物を載せて収納する載置部３７とから成る。なお、図１（ｄ）に、収納ボックスの変形例を示すが、この変形例の収納ボックス３５’は、載置部３７の上下両側に係合部３６を有する構造としたものである。
【００３４】
収納ボックス３５の間口（収納ボックス３５をキャビネット１に装着した際に前方から見た場合の横方向の長さ）は、キャビネット１の間口（左右の側壁の内面間の幅）より小さく形成されており、これにより、収納ボックス３５を小物置き用のスペースに装入して、バー３４に係脱可能である。                  
【００３５】
さらに、収納ボックス３５を係脱可能に設置するためのバー３４は、昇降棚１６の下部にも設けられている。即ち、図２（ａ）〜（ｃ）及び図３に示すように、昇降棚１６の左右両側面には下方に延びる取り付け片３８が設けられており、この左右の取り付け片３８の間に、互いに平行な２本のバー３４が昇降棚１６の底面に沿って水平に取り付けられている。
【００３６】
（作用）
以上のような構成から成るキャビネット１において、収納ボックス３５をキャビネット１内に取り付けて設置する場合には、扉１０を開いた状態で、図３（ａ）に示すように、係合部３６を下にして２本のバー３４に係合して、収納ボックス３５の載置部３７を仕切壁３２の前に押し込んで小物置き用のスペース内に設置する。
【００３７】
このように収納ボックス３５をキャビネット１内に設置して小物置き部３３を形成すると、扉１０を開いて調味料や調理具等の小物を収納ボックス３５に載置したり、取り出したりすることができる。
【００３８】
また、収納ボックス３５をキャビネット１の外に設置する場合は、図３（ｂ）、（ｃ）に示すように、収納ボックス３５をキャビネット１内に、図３（ａ）に示すように装着した姿勢とは反転し、係合部３６を上方とした状態で、係合部３６を２本のバー３４に係合して、載置部３７がキャビネット１の下方の位置に吊られるようになる。
【００３９】
このように収納ボックス３５をキャビネット１の外に設置すると、収納ボックス３５を、昇降棚１６とともに、キャビネット１外の収納部として使用でき、扉１０を開いたり閉じたりすることなく、調味料や調理具等の小物を、簡単に収納ボックス３５に載置したり、取り出したりすることができる。
【００４０】
さらに、昇降棚１６に収納ボックス３５を取り付ける場合は、図４に示すように、係合部３６を昇降棚１６の下部に設けた２本のバー３４に係合して、収納ボックス３５の載置部３７が昇降棚１６の下方の位置に吊られるようにして設置可能である。
【００４１】
なお、昇降棚１６を使用する際には、操作杆２２を操作してストッパラッチ２５をストッパラック２１から係合解除しながら、ハンドル２９を下方に引くことで、図１（ａ）、図３（ａ）、（ｃ）、図７（ｃ）、（ｄ）に示すように、キャビネット１の下方の位置に引き出すことができる。このような昇降棚１６が降下した位置では、使用者は、昇降棚１６に収納物を載せたり取り出したりすることができ、昇降棚１６に収納ボックス３５を装着すれば、さらに収納力が増す。
【００４２】
そして、昇降棚１６の上に小物を載置し、ストッパラッチ２５をストッパラック２１から係合解除しながら、渦巻きバネ１９の弾力を利用してハンドル２９で昇降棚を上方に上げれば、昇降棚１６が最上位の位置では、図２（ｂ）に示すように、小物とともに昇降棚１６をキャビネット１の昇降棚収納用のスペース内に収納することができる。     
【００４３】
昇降棚１６が最上位の位置では、キャビネット１内に昇降棚１６が収納された状態となるが、この位置では、昇降棚１６の下面が左右の側板７のほぼ下端の位置となり、且つ、収納ボックス３５の下面と略同一の高さに位置し、さらに通常のキャビネット１の下面とも略同一の高さに位置となる。よって、昇降棚１６がキャビネット１内に収納された状態では、キャビネット１を下方から見て凹凸などがなく、見た目もよく意匠性にも優れている。
【実施例２】
【００４４】
本発明に係るキャビネットの実施例２を、図５〜６で説明する。この実施例２のキャビネット３９は、実施例１と殆ど同じ構成であるので、以下、実施例１と異なる構成を中心に説明する。図５（ａ）は、本発明の実施例２であるキャビネット３９をキッチンに設置した状態の全体構成を示す。
【００４５】
この実施例２のキャビネット３９は、実施例１と同様に、天板６、左右の側板７、背板８、底板９、扉１０からなる箱体から形成され、内部に収納部１１を有している。実施例１と同様に、収納部１１は、天板６、左右の側板７、背壁１２、底板９、及び扉１０で囲まれた空間であり、この収納部１１の背面側に実施例１と同様の昇降棚装置１４が配設されている。昇降棚１６は、その前縁又は周縁に僅かに上方に向いた縁部が形成され、水滴が流下しないように構成されている。
【００４６】
この実施例２のキャビネット３９においても、昇降棚１６の前方のスペースに小物置き部４１が形成されているが、この実施例２では、小物置き部４１が、着脱可能な水切り板４２を設けた構成であることを特徴とする。即ち、底板９の下面に、水切り板４２を係脱可能に装着できる断面がほぼコの字型の収納ボックス４３が取り付けられている。
【００４７】
この収納ボックス４３の底部４４には、その後端に、図５（ｂ）、図６（ａ）、（ｂ）に示すように、水切り板４２の後部を支持する段部４５が形成されている。また、底部４４の前端には、僅かに上方に突出した前端上縁４０が形成され、この前端上縁４０の内側の底部４４上に水切り板４２の前部が載置されるように形成されている。水切り板４２は、多数の水切り孔５０が形成されており、昇降棚の前側において、板受け部に係脱可能に取り付けることができる。この実施例２において板受け部は、具体的には、収納ボックス４３の段部４５、底部４４及び前端上縁４０等を含む部分である。なお、水切り板５０の代わりに、ワイヤで形成された格子棚を収納ボックス４３に装着する構成としてもよい。  
【００４８】
収納ボックス４３の底部４４は、後方に向けて下方に傾斜しており、その後端部には排水孔４６が形成されている。そして、収納ボックス４３の底部４４の下面の前端部には、前端下縁４７とリブ縁４８が長手方向に沿って平行に形成されており、前端下縁４７とリブ縁４８との間には、照明装置（蛍光灯等）４９が取り付けられている。
【００４９】
図６（ａ）に示すように、昇降棚１６は、その最上位においても、収納ボックス４３より下方の位置にあり、しかも、昇降棚１６の前縁は、収納ボックス４３の底部４４の後端部に形成された排水孔４６の位置より前方の位置にあるように、昇降棚１６と収納ボックス４３は配置されている。これにより、排水孔４６から排水され水滴は昇降棚１６で受け止めることができる。なお、この実施例２の昇降棚装置１４の昇降機構１７は、実施例１と全く同じである。
【００５０】
（作用）
以上のような構成から成るキャビネット３９の作用を説明する。水切り板４２を、収納ボックス４３の段部４５と底部４４の前端上縁４０の内側に載置することで、係脱可能に取り付けることができる。水切り板４２上に、皿、調理具等を、洗浄後水切りのために載置することができ、シンク２の一部に水切り板４２を取り付けるような必要がないので、シンク２のスペースを十分活用することができる。
【００５１】
ところで、皿、調理具等から流れ落ちた水は、水切り板４２の水切り孔５０から下方の底部４４に流れ落ちる。そして、排水となって排水孔４６から昇降棚１６上に流下する。このようにして昇降棚１６上に溜まった水は、図６（ｂ）に示すように、昇降棚１６を下方に降下させて、フキン等で拭き取ればよい。このようにすれば、水切り板４２からの排水が、底部４４の排水孔４６から下方のシンクキャビネット４上に直接、流れ落ちたり摘下したりすることがないので、清潔で衛生的である。
【００５２】
なお、図６（ａ）は、昇降棚１６が最上位にあり、キャビネット３９内の左右の側板７の間の昇降棚１６収納用のスペース内に収納された状態を示しているが、昇降棚１６は、このような最上位の位置ではなく、もう少し下方にあっても、底部４４の排水孔から流れ落ちる排水を受け止めることができる。
【００５３】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５４】
以上、本発明に係るキャビネットを説明したが、このような構成のキャビネットは、キッチンのアッパーキャビネットに限らず、背面側に昇降棚を備えた収納キャビネットであれば、洗面キャビネット等、その他いろいろな収納用キャビネットにも適用することもできる。
【図面の簡単な説明】
【００５５】
【図１】本発明に係るキャビネットの実施例１を説明する図であり、（ａ）はキッチンの全体におけるキャビネットの全体構成を説明する斜視図であり、（ｂ）はキャビネットに係脱自在に取り付けられる収納ボックスの斜視図であり、（ｃ）はその矢視Ａ方向から見た側面図であり、（ｄ）は収納ボックスの変形例を示す断面図である。
【図２】実施例１のキャビネットの要部を説明する図であり、（ａ）はキャビネットの要部を側板側から透視した斜視図であり、（ｂ）、（ｃ）はキャビネットの内部の構成を側方か見た図である。
【図３】実施例１のキャビネットの使用状態、作用を説明する図であり、（ａ）は収納ボックスをキャビネット内に取り付けた状態を示し、（ｂ）、（ｃ）は収納ボックスの別の取り付け状態であり、キャビネット外に取り付けた状態を示す。
【図４】収納ボックスのさらに別の取り付け状態であって、収納ボックスを昇降棚に取り付けた状態を説明する図である。
【図５】本発明に係るキャビネットの実施例２を説明する図であり、キッチン全体におけるキャビネットの全体構成を説明する斜視図であり、（ｂ）は水切り板等の本発明の要部を説明する図である。
【図６】実施例２のキャビネットの内部の構成を側方から見た図であり、（ａ）は昇降棚がキャビネット内に収納されている状態であり、（ｂ）は昇降棚がキャビネットの下方に降下されている状態をそれぞれ示している。
【図７】図７（ａ）、（ｃ）は実施例１及び実施例２の昇降機構を正面側から見た図であり、図７（ｂ）、（ｄ）は図７（ａ）、（ｃ）のＡ−Ａ断面を示す。
【符号の説明】
【００５６】
１  キャビネット（実施例１）          
２  シンク                            
３  コンロ                           
４  シンクキャビネット（カウンター）  
５  レンジフード                      
６  天板                              
７  左右の側板                        
８  背板                              
９  底板                              
１０  扉                              
１１  収納部                          
１２  背壁                            
１３  棚板                            
１４  昇降棚装置                      
１５  昇降フレーム                    
１６  昇降棚                          
１７  昇降機構                        
１８  レール部材                      
１９  渦巻きバネ                      
２０  バネケース                      
２１  ストッパラック                  
２２  操作杆                          
２３  操作杆の軸部                            
２４  昇降フレームの支持部                          
２５  ストッパラッチ                  
２６  バネ受け                        
２７  圧縮コイルバネ                  
２８  ストッパラッチの枢支軸                          
２９  昇降フレームのハンドル                        
３０  操作杆の把持部                          
３１  支持杆                          
３２  仕切壁                          
３３  小物置き部                      
３４  収納ボックス係合用のバー                            
３５  収納ボックス                    
３６  収納ボックスの係合部                          
３７  収納ボックスの載置部                          
３８  バーの取り付け片                      
３９  キャビネット（実施例２）      
４０  昇降棚の前端上縁                            
４１  小物置き部                      
４２  水切り板                        
４３  収納ボックス                    
４４  収納ボックスの底部              
４５  底部の後端の段部                            
４６  底部の排水孔                          
４７  前端下縁                        
４８  リブ縁                          
４９  照明装置（蛍光灯等）            
５０  水切り板の水切り孔                        
【図１】
2007029308.tif 000003
【図２】
2007029308.tif 000004
【図３】
2007029308.tif 000005
【図４】
2007029308.tif 000006
【図５】
2007029308.tif 000007
【図６】
2007029308.tif 000008
【図７】
2007029308.tif 000009